(57)【要約】  【課題】できるだけエネルギーの消費を抑えつつ給湯回路側の水温を効果的に上昇させる。  【解決手段】給湯器は、浴槽１００に貯留された湯水を循環路３１に循環させることで、この湯水と通水路１１を介して給水される水との間で熱交換を行わせることができる。そのため、浴槽１００に加熱した湯水を貯留し、これを使用した後の残り湯が存在している場合に、この湯水の熱を通水路１１内の水に伝熱して予熱する。このように、通水路１１内の水を使用後の湯水の熱により予熱した後、ガスバーナ１５から生じる燃焼ガスで加熱するため、水を昇温させるのに必要なエネルギー消費量を抑えることができる。【選択図】図１
2011149592.tif 000002
【特許請求の範囲】
【請求項１】
給水された水を流通させて所定の給水箇所へと給水する経路であり、該経路の一部分が外部から加熱される加熱経路となっている通水路と、
浴槽に接続され、該浴槽との間で湯水を循環可能な経路である循環路と、
前記浴槽に貯留された湯水を該浴槽と前記循環路との間で循環させる循環ポンプと、
前記通水路において加熱経路より上流側を流通する水と前記循環路を流通する湯水との間で熱交換を実施する熱交換手段と、
前記循環ポンプを作動させ、前記浴槽に貯留された水を循環させることで、前記熱交換手段を介して前記通水路を流通する水に前記循環路を流通する湯水の熱を伝達させる伝達制御手段と、を備えている
ことを特徴とする給湯器。
【請求項２】
前記通水路による前記給水箇所への給水を検出する給水検出手段、を備えており、
前記伝達制御手段は、前記給水検出手段による給水の検出中に前記循環ポンプを作動させて、前記浴槽に貯留された湯水を循環させる
ことを特徴とする請求項１に記載の給湯器。
【請求項３】
前記通水路を流通する水の温度を検出する給水側水温検出手段と、
前記循環路を流通する湯水または前記浴槽に貯留された湯水の温度を検出する循環側水温検出手段と、を備えており、
前記伝達制御手段は、前記循環側水温検出手段により検出される水温が、前記給水側水温検出手段により検出される水温よりも高いことを条件として、前記通水路による給水中に前記循環ポンプを作動させる
ことを特徴とする請求項１または請求項２に記載の給湯器。
【請求項４】
前記循環路を流通する湯水を加熱する循環加熱手段と、
前記循環加熱手段による加熱、および、前記循環ポンプの作動を断続的に実行させることで、前記浴槽に貯留された湯水の保温を行う保温制御手段と、を備えており、
前記伝達制御手段は、前記保温制御手段による湯水の保温が行われていないことを条件として、前記給水検出手段による給水の検出中に前記循環ポンプを作動させる
ことを特徴とする請求項２または請求項３に記載の給湯器。
【請求項５】
前記通水路から分岐して前記浴槽へと至る風呂行き流路と、
太陽光温熱器により加熱された温水を前記通水路に通水させる温熱路と、
前記温熱路から前記風呂行き流路を経由して前記浴槽へと至る経路中に設けられ、該経路を開閉することで前記温熱路から前記浴槽への通水を可能にする通水弁と、
前記温熱路から前記通水路への通水時に、前記通水弁の開度を制御することにより、前記温熱路からの温水を前記浴槽へと通水させる通水制御手段と、を備えている
ことを特徴とする請求項１から４のいずれか一項に記載の給湯器。
【請求項６】
ユーザの操作を受けて予約時刻および予約温度を設定する予約設定手段と、
前記予約設定手段により設定された予約時刻までに、該設定された予約温度の湯水を前記浴槽に貯留させる予約運転を実施する予約運転手段と、を備えており、
前記通水制御手段は、前記予約設定手段により予約時刻および予約温度が設定された以降、該予約時刻が到来する前に、前記温熱路からの温水を前記浴槽へと通水させる
ことを特徴とする請求項５に記載の給湯器。
【請求項７】
前記通水制御手段は、前記予約設定手段により予約時刻および予約温度が設定された以降、該予約時刻が到来する前に、一定の時間間隔で前記温熱路からの温水を前記浴槽へと通水させる
ことを特徴とする請求項６に記載の給湯器。
【請求項８】
前記太陽光温熱器からの温水の温度を検出する温熱側水温検出手段、を備えており、
前記通水制御手段は、前記温熱側水温検出手段により検出される温度に応じた長さの時間間隔で、前記温熱路からの温水を前記浴槽へと通水させる
ことを特徴とする請求項７に記載の給湯器。
【請求項９】
前記通水制御手段は、前記予約設定手段により予約時刻および予約温度が設定された以降、該予約時刻が到来する前に、一定未満の開度で前記通水弁を開放することにより、前記温熱路からの温水を前記浴槽へと通水させる
ことを特徴とする請求項６から８のいずれか一項に記載の給湯器。
【請求項１０】
前記太陽光温熱器からの温水の温度を検出する温熱側水温検出手段、を備えており、
前記通水制御手段は、前記温熱側水温検出手段により検出される温度に応じた開度で前記通水弁を開放することにより、前記温熱路からの温水を前記浴槽へと通水させる
ことを特徴とする請求項９に記載の給湯器。
【請求項１１】
前記通水路を流通する水を加熱する給水加熱手段と、
前記通水路を流通する水の水量を検出する水量検出手段と、
前記水量検出手段により検出される水量が所定のしきい値以上となっている間、前記給水加熱手段により水を加熱させる加熱制御手段と、を備えており、
前記通水制御手段は、少なくとも前記温熱路から前記通水路へと至る経路の水量が前記しきい値未満となる開度で前記通水弁を開放する
ことを特徴とする請求項５から１０のいずれか一項に記載の給湯器。
【発明の詳細な説明】
【技術分野】
【０００１】
本発明は、浴槽に出湯可能な給湯器に関する。
【背景技術】
【０００２】
近年の環境保護の意識向上に伴い、給湯器の分野においても、燃料ガスの消費量を可能な限り抑制しようとする動きが益々活発化している。
燃料ガスの消費量を抑制する手段としては、種々の手段が考えられるが、例えば、熱交換器が介挿された通常の給湯回路と、熱媒体を加熱して循環させる専用の循環回路とを有する給湯器に、循環回路内の湯水と給湯回路の湯水とを熱交換するための手段（液−液熱交換器）を設け、給湯回路内の湯水に循環回路内の熱媒体の熱を伝達させるという方法が考えられる。
【０００３】
この種の液−液熱交換器を設けた給湯器としては、給湯回路の熱交換器よりも下流側と循環回路とを液−液熱交換器により熱交換可能とした構成のものがあげられる（特許公報１参考）。
【先行技術文献】
【特許文献】
【０００４】
【特許文献１】特開２００７−１８７３２５号公報
【発明の概要】
【発明が解決しようとする課題】
【０００５】
上述した技術では、給湯回路内の湯水に、燃焼ガスの熱を伝達させた後、さらに液−液熱交換器により循環回路内の熱媒体の熱を伝達させるものであり、給湯時の湯温を安定化させる効果を奏するものの、ガス消費量の抑制に資するとは言い難い。この構成では、専用の循環回路内に熱媒体を恒常的に加熱および循環させておく必要があり、省エネルギーの観点で望ましい構成とはいえないからである。
【０００６】
本発明は、このような課題を解決するためになされたものであり、その目的は、できるだけエネルギーの消費を抑えつつ給湯回路側の水温を効果的に上昇させることのできる給湯器を提供することである。
【課題を解決するための手段】
【０００７】
上記課題を解決するため第１の構成は、給水された水を流通させて所定の給水箇所へと給水する経路であり、該経路の一部分が外部から加熱される加熱経路となっている通水路と、浴槽に接続され、該浴槽との間で湯水を循環可能な経路である循環路と、前記浴槽に貯留された湯水を該浴槽と前記循環路との間で循環させる循環ポンプと、前記通水路において加熱経路より上流側を流通する水と前記循環路を流通する湯水との間で熱交換を実施する熱交換手段と、前記循環ポンプを作動させ、前記浴槽に貯留された湯水を循環させることで、前記熱交換手段を介して前記通水路を流通する水に前記循環路を流通する湯水の熱を伝達させる伝達制御手段と、を備えている。
【０００８】
このように構成された給湯器であれば、浴槽に貯留された湯水を循環路に循環させることで、この湯水と通水路を介して給水される水との間で熱交換を行うことで、通水路内の水を予熱した後、加熱経路にて加熱する。そのため、浴槽内に使用後の湯水が存在している場合には、この使用後の湯水の熱を通水路内の水に伝熱し、当該通水路側の水温を予熱させることができる。
【０００９】
こうして、従来、無駄に捨てられていた浴槽内の使用後の熱を有効に利用でき、通水路を流れる水を加熱するためのエネルギー消費を抑えることができる。
また、この構成において、浴槽に貯留された湯水を循環させるタイミングについては、特に限定されないが、省エネルギーの観点からすると、実際に通水路に水が流れているタイミングとすることが望ましい。
【００１０】
このためには、上記構成を以下に示す第２の構成（請求項２）のようにするとよい。
第２の構成においては、前記通水路による前記給水箇所への給水を検出する給水検出手段、を備えている。そして、前記伝達制御手段は、前記給水検出手段による給水の検出中に前記循環ポンプを作動させて、前記浴槽に貯留された水を循環させる。
【００１１】
この構成であれば、実際に通水路への給水が行われ、熱交換手段を介して循環路側からの吸熱が可能となっているタイミングで浴槽の水を循環路に循環させているため、循環ポンプを作動させるのに必要なエネルギーを最小限に抑えるのに好適である。
【００１２】
また、上記各構成においては、以下に示す第３の構成（請求項３）のようにしてもよい。
第３の構成は、前記通水路を流通する水の温度を検出する給水側水温検出手段と、前記循環路を流通する湯水または前記浴槽に貯留された湯水の温度を検出する循環側水温検出手段と、を備えている。そして、前記伝達制御手段は、前記循環側水温検出手段により検出される水温が、前記給水側水温検出手段により検出される水温よりも高いことを条件として、前記通水路による給水中に前記循環ポンプを作動させる。
【００１３】
この構成であれば、循環路を流通する湯水が、通水路を流通する水より高温となっている関係のときにのみ、循環路を流れる湯水と通水路を流れる水との熱交換が行われるため、この逆の関係となっている場合に熱交換を行い、通水路を流通する水の温度を低下させてしまう、といったことを防止することができる。
【００１４】
なお、この構成において、循環路を流通する湯水の温度を検出する場合には、事前に循環ポンプを作動させ、浴槽に貯留された湯水を一時的に循環路に循環させることで温度を検出することとすればよく、この場合、こうして温度を検出した以降に、条件の充足如何によって循環ポンプの作動が行われる（継続される）こととなる。
【００１５】
また、上記構成において、前記循環路を流通する湯水を加熱する循環加熱手段と、前記循環加熱手段による加熱、および、前記循環ポンプの作動を断続的に実行させることで、前記浴槽に貯留された湯水の保温を行う保温制御手段と、を備えている場合には、以下に示す第４の構成（請求項４）のようにするとよい。
【００１６】
第４の構成において、前記伝達制御手段は、前記保温制御手段による湯水の保温が行われていないことを条件として、前記給水検出手段による給水の検出中に前記循環ポンプを作動させる。
【００１７】
この構成では、浴槽に貯留された湯水の保温を行っているときに、通水路における給水を検出したとしても、循環路を流れる湯水と通水路を流れる水との熱交換を積極的に行わないようにしている。
【００１８】
具体的にいえば、浴槽に貯留された湯水の保温を行っているときは、循環路と浴槽との間における水の循環が断続的に行われており、循環路を流れる湯水と通水路を流れる水との熱交換も断続的に行われる。裏を返すと、浴槽に貯留された湯水の保温を行っているときは、断続的に循環路を流れる湯水と通水路を流れる水との熱交換を行わないようになっているといえるため、通水路側の水温を上昇させる意味では、熱交換を行っていない期間についても、循環ポンプを作動させて循環路と浴槽との間で湯水を循環させ、積極的な熱交換を促すことが考えられる。
【００１９】
ただ、このような積極的な熱交換は、浴槽に貯留された湯水の温度を低下させるように作用するため、”保温”という本質的な機能に反することとなってしまう。そこで、第４の構成においては、浴槽に貯留された湯水の保温を行っているときに、通水路における給水を検出したとしても、循環路を流れる湯水と通水路を流れる水との熱交換を積極的に行わないようにし、これにより保温を優先させることができる。
【００２０】
また、上記各構成は、以下に示す第５の構成（請求項５）のようにするとよい。
第５の構成は、前記通水路から分岐して前記浴槽へと至る風呂行き流路と、太陽光温熱器により加熱された温水を前記通水路に通水させる温熱路と、前記温熱路から前記風呂行き流路を経由して前記浴槽へと至る経路中に設けられ、該経路を開閉することで前記温熱路から前記浴槽への通水を可能にする通水弁と、前記温熱路から前記通水路への通水時に、前記通水弁の開度を制御することにより、前記温熱路からの温水を前記浴槽へと通水させる通水制御手段と、を備えている。
【００２１】
この構成であれば、太陽光温熱器により加熱された温水を浴槽に落とし込むことができ、こうして落とし込んだ温水の熱を、通水路を流通する水に伝達させることができる。
また、太陽光温熱器により加熱された温水を浴槽に貯留することができるため、太陽光温熱器において通常必要とされる専用のリザーブタンクが不要となる。
【００２２】
また、この構成において、ユーザの操作を受けて予約時刻および予約温度を設定する予約設定手段と、前記予約設定手段により設定された予約時刻までに、該設定された予約温度の水を前記浴槽に貯留させる予約運転を実施する予約運転手段と、を備えている場合には、以下に示す第６の構成（請求項６）のようにするとよい。
【００２３】
第６の構成において、前記通水制御手段は、前記予約設定手段により予約時刻および予約温度が設定された以降、該予約時刻が到来する前に、前記温熱路からの温水を前記浴槽へと通水させる。
【００２４】
この構成であれば、予約時刻の到来までに、太陽光温熱器により加熱された温水の熱を浴槽に落とし込んで貯留しておくことができる。
また、この構成においては、予約時刻が到来する前であれば、どのようなタイミングで浴槽への温水の通水を行うこととしてもよいが、例えば、一定の時間間隔で通水を行うようにすることが考えられる。
【００２５】
このためには、上記構成を以下に示す第７の構成（請求項７）のようにするとよい。
この構成において、前記通水制御手段は、前記予約設定手段により予約時刻および予約温度が設定された以降、該予約時刻が到来する前に、一定の時間間隔で前記温熱路からの温水を前記浴槽へと通水させる。
【００２６】
この構成であれば、予約時刻が到来する前に、一定の時間間隔で通水を行うようにすることができる。
また、この構成においては、以下に示す第８の構成（請求項８）のようにするとよい。
【００２７】
第８の構成では、前記太陽光温熱器からの温水の温度を検出する温熱側水温検出手段、を備えている。そして、前記通水制御手段は、前記温熱側水温検出手段により検出される温度に応じた長さの時間間隔で、前記温熱路からの温水を前記浴槽へと通水させる。
【００２８】
この構成であれば、太陽光温熱器からの温水の温度が高いほど、短い時間間隔で温熱路からの温水の浴槽への通水が行われるようにすることが望ましい。
なぜなら、太陽光温熱器からの温水の温度が高ければ高いほど、太陽光温熱器側で温水を生成するのに要する時間が短いことになるため、この場合、太陽光温熱器からの通水を行ってから次に通水を行うまでの時間間隔を短くしたとしても、次に通水を行うまでに充分に温度の高い温水が生成されることになるからである。
【００２９】
この場合であれば、太陽光温熱器からの温水の温度に応じた短さの時間間隔で通水弁を開放することにより、太陽光温熱器から浴槽へと落とし込まれる温水の温度を高めつつ、より短時間で浴槽に多くの温水を貯留することができる。
【００３０】
また、上記のように、通水弁の開度を制御して温熱路からの温水を浴槽へと通水させる構成においては、以下に示す第９の構成（請求項９）のようにするとよい。
第９の構成において、前記通水制御手段は、前記予約設定手段により予約時刻および予約温度が設定された以降、該予約時刻が到来する前に、一定未満の開度で前記通水弁を開放することにより、前記温熱路からの温水を前記浴槽へと通水させる。
【００３１】
この構成であれば、通水弁を全開にする場合と比べ、太陽光温熱器から通水される温水の水量が少なくなり、太陽光温熱器に水が停留して加熱される時間が長くなるため、浴槽へと落とし込まれる温水の温度をより上昇させることができる。
【００３２】
また、この構成は、以下に示す第１０の構成（請求項１０）のようにするとよい。
第１０の構成は、前記太陽光温熱器からの温水の温度を検出する温熱側水温検出手段、を備えている。そして、前記通水制御手段は、前記温熱側水温検出手段により検出される温度に応じた開度で前記通水弁を開放することにより、前記温熱路からの温水を前記浴槽へと通水させる。
【００３３】
この構成であれば、太陽光温熱器からの温水の温度が高いほど、通水路の開度を大きくした状態で温熱路から温水の浴槽への通水が行われる。
太陽光温熱器からの温水が高ければ高いほど、太陽光温熱器側で温水を生成するのに要する時間が短いことになるため、この場合、通水弁の開度を大きくして短時間で通水が終了するようにしたとしても、次に通水を行うまでに充分に温度の高い温水が生成されることになる。
【００３４】
そのため、この構成では、太陽光温熱器からの温水の温度に応じた開度で通水弁を開放することにより、より短時間で浴槽に温度の高い温水を貯留することができる。
また、上記各構成において、前記通水路を流通する水を加熱する給水加熱手段と、前記通水路を流通する水の水量を検出する水量検出手段と、前記水量検出手段により検出される水量が所定のしきい値以上となっている間、前記給水加熱手段により水を加熱させる加熱制御手段と、を備えている場合には、以下に示す第１１の構成（請求項１１）のようにするとよい。
【００３５】
第１１の構成において、前記通水制御手段は、少なくとも前記温熱路から前記通水路へと至る経路の水量が前記しきい値未満となる開度で前記通水弁を開放する。
この構成であれば、温熱路から通水路へと通水する水の水量により、給水加熱手段による無用な加熱が実施されてしまうことを防止することができる。
【図面の簡単な説明】
【００３６】
【図１】給湯器の全体構成を示す図
【図２】第１手動給湯動作を示すフローチャート
【図３】風呂給湯動作を示すフローチャート
【図４】予約運転動作を示すフローチャート
【図５】第２手動運転動作を示すフローチャート
【図６】別の実施形態における予約運転動作を示すフローチャート
【図７】別の実施形態における給湯判定動作を示すフローチャート
【発明を実施するための形態】
【００３７】
以下に本発明の実施形態を図面と共に説明する。
（１）全体構成
給湯器は、図１に示すように、給水された水を加熱して出湯する給湯部１と、浴槽１００に貯留された湯水を保温する保温部３と、各部の動作を制御する制御部５と、を備える。
【００３８】
給湯部１は、外部から給水される水を出湯箇所まで通水する通水路１１、通水路１１の途中に介挿された給湯側熱交換器１３、通水路１１において給湯側熱交換器１３が設けられた経路（加熱経路）を加熱するガスバーナ１５などで構成されている。なお、本実施形態においては、浴槽１００、および、給湯栓２００直下が出湯箇所となっている。
【００３９】
これらのうち、通水路１１には、給湯側熱交換器１３より上流側に、外部から給水される水の温度（給水側水温）を検出する入水温検出センサ１７が設けられ、同経路の下流側２箇所に、この経路を経て加熱された湯水の温度を検出する加熱温度検出センサ１９が設けられている。
【００４０】
また、通水路１１には、上流側（給水側）から順に、給水される水を濾過するストレーナ２１、給水される水の水量を検出する水量センサ２３、通水路１１における水量を制御する水量制御弁２５が設けられている。
【００４１】
また、通水路１１の下流側（出湯箇所側）では、浴槽１００側へと至る風呂行き流路２７が分岐しており、この風呂行き流路２７には、風呂行き流路２７を開閉して通水を制御する風呂側通水弁２８、風呂行き流路２７を経て浴槽１００側へと供給された水量（総量）を検出するための落とし込み水量センサ２９が設けられている。
【００４２】
また、通水路１１には、通常の給水源（水道管）だけでなく、太陽光温熱器３００からの給水を受けるための温熱路３１０が接続され、この温熱路３１０に設けられた太陽側通水弁３１２の開度を調整することにより、この太陽光温熱器３００からも選択的に給水を受けられるように構成されている。なお、この温熱路３１０は、太陽光温水器３０から供給される温水の温度（太陽側水温）を検出する太陽温度検出センサ３１４が設けられている。
【００４３】
保温部３は、浴槽１００との間で湯水を循環可能な経路として浴槽１００に接続された循環路３１、浴槽１００に貯留された湯水を浴槽１００と循環路３１との間で循環させる循環ポンプ３３、循環路３１における一部経路の外周に設けられた保温側熱交換器３５、循環路３１において保温側熱交換器３５が設けられた経路を加熱するガスバーナ３７、通水路１１の加熱経路より上流側を流通する水と循環路３１を流通する湯水との間で熱交換を実施する液−液熱交換器４１などで構成されている。
【００４４】
これらのうち、循環ポンプ３３は、循環路３１において湯水が循環する経路の上流側、具体的には保温側熱交換器３５と浴槽１００との間に設けられている。
また、循環路３１には、湯水が循環する経路の上流側に、浴槽１００に貯留されていた湯水の温度（循環側水温）を検出する浴槽温度検出センサ４５が設けられ、同経路の下流側に、保温側熱交換器３５が設けられた経路を経て加熱された湯水の温度を検出する加熱温度検出センサ４７が設けられている。
【００４５】
また、この循環路３１には、湯水が循環する経路の上流側、具体的には浴槽１００と循環ポンプ３３との間に風呂行き流路２７が接続されており、風呂行き流路２７から供給される水は、この接続部から循環路３１を介して浴槽１００に落とし込まれる。
【００４６】
また、循環路３１は、湯水が循環する経路の上流側、具体的には循環ポンプ３３と保温側熱交換器３５との間の経路が、通水路１１の加熱経路より上流側付近まで延びており、液−液熱交換器４１は、この下流側に配置されている。
【００４７】
制御部５は、内蔵するマイコンなどにより各部の動作を制御するコントローラ５１、浴室外でユーザの操作を受け付けるメインリモコン５３、浴室内でユーザの操作を受け付けるサブリモコン５５などで構成されている。これらのうち、サブリモコン５５には、浴槽１００周辺の外気温度を検出する外気温検出センサ５７が備えられている。
（２）給湯器の動作
上述した給湯器は、ユーザの操作を受けた際に、コントローラ５１が各部の動作を制御することにより、以下に示す各種動作を行う。なお、以下の動作は、スタンバイ状態（電源オン）になっていることを条件に行われる。
（２−１）第１手動給湯動作
はじめに、給湯栓２００が開かれることにより開始される第１手動給湯動作の手順を図２に基づいて説明する。なお、この第１手動給湯動作は、メインリモコン５３またはサブリモコン５５に対する特定の操作によって、第１手動給湯動作を行う第１給湯モードに設定されている場合に行われる給湯動作である。
【００４８】
まず、コントローラ５１は、水量センサ２３に検出される通水路１１内の水量を監視し、その水量が一定以上になるまで待機状態となる（ｓ１３０：ＮＯ）。ここでいう「一定以上」の水量とは、以下に説明するように、給水される水の加熱を行うのに充分な水量としてあらかじめ定められたものである。
【００４９】
そして、水量センサ２３に検出される水量が一定以上となった場合に（ｓ１３０：ＹＥＳ）、コントローラ５１は、ガスバーナ１５による通水路１１の加熱を開始させる（ｓ１４０）。このときの加熱は、加熱温度検出センサ１９に検出された温度が、あらかじめ設定された設定温度付近で保たれるように制御される。
【００５０】
その後、コントローラ５１は、水量センサ２３に検出される水量が一定以上となっている間（ｓ１５０：ＮＯ）、ガスバーナ１５による通水路１１の加熱を継続し、水量が一定未満となったら（ｓ１５０：ＹＥＳ）、その加熱を停止させる（ｓ１６０）。
【００５１】
ここまでの動作は、給湯器がスタンバイ状態となっている間、繰り返される（ｓ１３０〜ｓ１６０）。
なお、給湯器のスタンバイ状態が解除（電源オフ）された場合には、上述したガスバーナ１５による通水路１１の加熱は停止され、第１手動給湯動作が直ちに終了する。
（２−２）風呂給湯動作
続いて、ユーザがメインリモコン５３またはサブリモコン５５に対し、浴槽１００への給湯を行う旨の操作（例えば、特定のスイッチ操作）を行うことにより開始される風呂給湯動作の手順を図３に基づいて説明する。
【００５２】
まず、コントローラ５１は、風呂側通水弁２８に風呂行き流路２７を開放させることで、通水路１１から浴槽１００へと至る経路を形成する（ｓ２１０）。
次に、コントローラ５１は、水量制御弁２５を動作させることで、通水路１１への一定水量での入水を開始させる（ｓ２２０）。
【００５３】
こうして、通水路１１への入水が開始されたら、コントローラ５１は、水量センサ２３に検出される水量が一定以上になるまで待機状態となり（ｓ２３０：ＮＯ）、一定以上となった場合に（ｓ２３０：ＹＥＳ）、コントローラ５１は、ガスバーナ１５による通水路１１の加熱を開始させる（ｓ２４０）。このときの加熱は、上記と同様、設定温度付近で保たれるように制御される。
【００５４】
これにより、通水路１１から風呂行き流路２７および循環路３１の一部を介して、浴槽１００への出湯が行われるようになる。
その後、コントローラ５１は、落とし込み水量センサ２９にて検出された水量の総量が、あらかじめ設定された設定水量に到達するまでの間（ｓ２５０：ＮＯ）、ガスバーナ１５による通水路１１の加熱を継続し、水量の総量が設定水量に到達したら（ｓ２５０：ＹＥＳ）、その加熱を停止させる（ｓ２６０）。
【００５５】
次に、コントローラ５１は、水量制御弁２５を動作させることで、通水路１１への入水を停止させる（ｓ２７０）。
次に、コントローラ５１は、風呂側通水弁２８に風呂行き流路２７を閉鎖させることで、通水路１１から浴槽１００への経路を閉鎖する（ｓ２８０）。
【００５６】
こうして、通水路１１への入水が停止され（ｓ２７０）、通水路１１から浴槽１００への経路が閉鎖され（ｓ２８０）、上述したガスバーナ１５による通水路１１の加熱が停止された後（ｓ２６０）、風呂給湯動作が終了する。
【００５７】
次に、コントローラ５１は、浴槽１００に貯留された湯水の保温を行う「保温モード」に設定されているか否かがチェックされる（ｓ３１０）。この保温モードとは、浴槽１００に貯留された湯水の保温を行う動作モードであり、メインリモコン５３またはサブリモコン５５に対する特定の操作で設定または設定解除がなされる。
【００５８】
ここで「保温モード」に設定されていない場合（ｓ３１０：ＮＯ）、風呂給湯動作が終了する。
一方、「保温モード」に設定されている場合（ｓ３１０：ＹＥＳ）、コントローラ５１は、浴槽温度検出センサ４５により検出される温度を監視し、その温度が設定温度以上となっている間、待機状態となる（ｓ３２０：ＹＥＳ、ｓ３３０：ＮＯ）。この待機状態のときに「保温モード」が設定解除されると（ｓ３３０：ＹＥＳ）、ガスバーナ３７による循環路３１の加熱が終了させられ（ｓ３９２）、循環ポンプ３３の停止により湯水の循環が停止させられた後（ｓ３９４）、風呂給湯動作が終了する。なお、この循環路３１の加熱終了（ｓ３９２）および湯水の循環停止（ｓ３９４）は、先に循環路３１の加熱および湯水の循環が開始されている場合にのみ行われる。
【００５９】
一方、浴槽温度検出センサ４５により検出される温度が設定温度未満となったら（ｓ３２０：ＮＯ）、コントローラ５１は、循環ポンプ３３を作動させることにより、浴槽１００に貯留された湯水の循環を開始させると共に（ｓ３４０）、ガスバーナ３７による循環路３１の加熱を開始させる（ｓ３５０）。このときの加熱は、加熱温度検出センサ４７に検出された温度が、設定温度付近で保たれるように制御される。
【００６０】
こうして、加熱温度検出センサ４７に検出された温度が設定温度未満となっている間（ｓ３６０：ＹＥＳ、ｓ３７０：ＮＯ）、コントローラ５１は、循環ポンプ３３による湯水の循環、および、ガスバーナ３７による循環路３１の加熱を継続する。この加熱継続中にも、「保温モード」が設定解除されると（ｓ３７０：ＹＥＳ）、ガスバーナ３７による循環路３１の加熱が終了させられ（ｓ３９２）、循環ポンプ３３の停止により湯水の循環が停止させられた後（ｓ３９４）、風呂給湯動作が終了する。
【００６１】
そして、ガスバーナ３７による循環路３１の加熱継続中に、加熱温度検出センサ４７に検出された温度が設定温度以上となったら（ｓ３６０：ＮＯ）、コントローラ５１は、ガスバーナ３７による循環路３１の加熱を停止させると共に（ｓ３８０）、循環ポンプ３３による湯水の循環を停止させる（ｓ３９０）。
【００６２】
ここまでに行われる循環路３１の加熱開始および停止は、「保温モード」が設定解除されるまで繰り返される（ｓ３２０〜ｓ３９０）。
なお、湯水の循環および循環路３１の加熱中に、給湯器のスタンバイ状態が解除された場合には、循環ポンプ３３による湯水の循環、および、上述したガスバーナ３７による循環路３１の加熱は停止され、直ちに風呂給湯動作が終了する。
（２−３）予約運転動作
続いて、メインリモコン５３またはサブリモコン５５に対し、予約運転を指令する操作が行われることにより開始される予約運転動作の手順を図４に基づいて説明する。この「予約運転を指令する操作」とは、予約時刻および予約温度を任意に指定し、予約時刻に予約温度の湯水を浴槽１００に貯留した状態とすべきことを指令するための操作である。
【００６３】
まず、コントローラ５１は、指定された予約時刻および予約温度を、予約運転のためのパラメータ（設定時刻、設定温度）として設定（内蔵メモリに記憶）する（ｓ４００）。以降、こうして設定された予約時刻、予約温度は、「設定時刻」「設定温度」とする。
【００６４】
次に、コントローラ５１は、設定時刻までの残り時間をチェックし（ｓ４１０）、残り時間がしきい値以下となっていれば（ｓ４１０：ＹＥＳ）、上述したのと同様の風呂給湯動作を行った後（ｓ４２０）、予約運転動作を終了する。
【００６５】
この「しきい値」は、浴槽１００に設定水量の湯水を貯留するのに必要な時間として定められる値であり、具体的にいえば、風呂給湯動作において設定時間までに設定温度の湯水を貯留するのに必要となる時間のことである。
【００６６】
一方、残り時間が所定のしきい値より長ければ（ｓ４１０：ＮＯ）、コントローラ５１は、太陽光温熱器３００からの温水を浴槽１００まで通水するための通水路を形成する（ｓ４３０）。ここでは、風呂側通水弁２８に風呂行き流路２７を開放させ、太陽側通水弁３１２に温熱路３１０を開放させることで、太陽光温熱器３００から浴槽１００への経路を形成する。なお、このとき、通常の給水源からの給水は、図示されない弁により遮断されるように構成されている。
【００６７】
次に、コントローラ５１は、太陽温度検出センサ３１４により検出される温度（太陽側水温）を特定し（ｓ４４０）、その温度に応じた水量制御弁２５の制御パターンを決定する（ｓ４５０）。
【００６８】
ここでは、例えば、太陽側水温に応じた短さの時間間隔で水量制御弁２５の開閉を繰り返す制御パターン、太陽側水温に応じた開度で水量制御弁２５を開放する制御パターン、などの制御パターンが決定される。
【００６９】
これら制御パターンは、太陽側通水弁３１２を、設定時刻までの残り時間がしきい値となるまでの間継続的に制御するパターンとなっており、この制御パターンによる制御が行われた後、設定時刻までの残り時間がしきい値以下になるように調整されている。
【００７０】
なお、ここで決定される制御パターンでは、温熱路３１０から通水路１１へと至る経路の水流が、第１，第２手動給湯動作において通水路１１の加熱が開始される水量未満となるように、各通水弁および水量制御弁２５における最大開度が設定される。
【００７１】
次に、上記のように決定された制御パターンによる水量制御弁２５の制御を実施した後（ｓ４６０）、上述したのと同様の風呂給湯動作を行った後（ｓ４２０）、予約運転動作を終了する。
（２−４）第２手動給湯動作
続いて、給湯栓２００が開かれることにより開始される第２手動給湯動作の手順を図５に基づいて説明する。この第２手動給湯動作は、メインリモコン５３またはサブリモコン５５に対する特定の操作によって、第２手動給湯動作を行う第２給湯モードに設定されている場合に行われる給湯動作である。
【００７２】
なお、第２手動給湯動作は、上述した風呂給湯動作にて浴槽１００に加熱した湯水を貯留し、これを使用した後の残り湯が存在している場合に行うものとして用意された動作であり、ユーザは、浴槽１００に貯留された湯水を使用した後、浴槽１００に残り湯が存在している場合に上記特定の操作を行うことになる。
【００７３】
まず、コントローラ５１は、水量センサ２３に検出される通水路１１内の水量を監視し、通水路１１内への給水が開始されるまで待機状態となり（ｓ５１０：ＮＯ）、その後、通水路１１内への給水が開始されたら（ｓ５１０：ＹＥＳ）、その給水に係る水量が一定未満であるか否をチェックする（ｓ５２０）。ここでいう「一定未満」の水量とは、給水される水の加熱を行うのに充分な水量を下回る値としてあらかじめ定められたものである。
【００７４】
ここで、給水に係る水量が一定以上である場合（ｓ５２０：ＮＯ）、コントローラ５１は、第１手動給湯動作における、ガスバーナによる通水路の加熱開始（ｓ１４０）、水量が一定未満になるまでの待機（ｓ１５０：ＮＯ）、その後のガスバーナによる加熱の停止（ｓ１６０）、と同様の動作を行った後（ｓ６４０〜ｓ６６０）、通水路１１内への給水が開始されていることのチェックへと戻る（ｓ６６０→ｓ５１０）。
【００７５】
また、給水に係る水量が一定未満である場合（ｓ５２０：ＹＥＳ）、コントローラ５１は、上述した「保温モード」に設定されているか否かをチェックする（ｓ５３０）。
ここで、「保温モード」に設定されている場合（ｓ５３０：ＹＥＳ）、上記と同様、ガスバーナによる通水路の加熱開始（ｓ６４０）、水量が一定未満になるまでの待機（ｓ６５０：ＮＯ）、その後のガスバーナによる加熱の停止（ｓ６６０）、を行った後、通水路１１内への給水が開始されていることのチェックへと戻る（ｓ６６０→ｓ５１０）。
【００７６】
また、「保温モード」に設定されていない場合（ｓ５３０：ＮＯ）、コントローラ５１は、循環ポンプ３３を作動させることにより、浴槽１００に貯留された湯水の循環を開始させる（ｓ５４０）。こうして、浴槽１００に貯留された湯水が循環路３１との間で循環することで、この湯水と通水路１１を介して給水される水とが液−液熱交換器４１にて熱交換されるようになる。
【００７７】
こうして、浴槽１００に貯留された湯水の循環が開始された後、コントローラ５１は、浴槽温度検出センサ４５により検出される循環側水温、および、入水温検出センサ１７により検出される給水側水温を監視し、両温度の関係が、湯水の循環を継続させるための条件として定められた循環継続条件を充足しているか否かをチェックする（ｓ５５０）。ここでは、循環側水温が給水側水温よりも高いことをもって、循環継続条件の充足とされる。
【００７８】
ここで、循環継続条件を充足していない場合（ｓ５５０：ＮＯ）、コントローラ５１は、循環ポンプ３３の動作を停止させることにより、浴槽１００に貯留された湯水の循環を停止させた後（ｓ５６０）、通水路１１内への給水が開始されていることのチェックへと戻る（ｓ５６０→ｓ５１０）。
【００７９】
それに対し、循環継続条件を充足している場合（ｓ５５０：ＹＥＳ）、コントローラ５１は、水量センサ２３に検出される通水路１１内の水量を監視し、通水路１１内への給水が継続されているか否かをチェックする（ｓ５７０）。
【００８０】
ここで、通水路１１内への給水が継続されていなければ（ｓ５７０：ＮＯ）、コントローラ５１は、上記と同様、循環ポンプ３３の動作を停止させることで浴槽１００に貯留された湯水の循環を停止させた後（ｓ５６０）、通水路１１内への給水が開始されていることのチェックへと戻る（ｓ５６０→ｓ５１０）。
【００８１】
一方、通水路１１内への給水が継続されていれば（ｓ５７０：ＹＥＳ）、コントローラ５１は、水量センサ２３に検出される通水路１１内の水量を監視し、その水量が一定以上になったか否かをチェックする（ｓ５８０）。ここでいう「一定以上」の水量とは、給水される水の加熱を行うのに充分な水量としてあらかじめ定められたものである。
【００８２】
ここで、給水に係る水量が一定未満であれば（ｓ５８０：ＮＯ）、通水路１１内への給水が継続されているか否かのチェックへと戻る（ｓ５８０→ｓ５７０）。
以降、循環継続条件を充足し（ｓ５５０「ＹＥＳ」）、給水が継続されており（ｓ５７０「ＹＥＳ」）、かつ、その給水に係る水量が一定未満となっている間（ｓ５８０「ＮＯ」）、循環ポンプ３３の動作、つまり循環路３１を流通する湯水と通水路１１を介して給水される水との熱交換が継続されることとなる。
【００８３】
その後、給水に係る水量が一定以上になったら（ｓ５８０：ＹＥＳ）、コントローラ５１は、上記と同様、ガスバーナによる通水路の加熱開始（ｓ６４０）、水量が一定未満になるまでの待機（ｓ６５０：ＮＯ）、その後のガスバーナによる加熱の停止（ｓ６６０）、を行う。
【００８４】
その後、コントローラ５１は、循環ポンプ３３の動作を停止させることにより、浴槽１００に貯留された湯水の循環を停止させ（ｓ５９０）、通水路１１内への給水が開始されていることのチェックへと戻る（ｓ５９０→ｓ５１０）。
（３）作用，効果
このように構成された給湯器であれば、浴槽１００に貯留された湯水を循環路３１に循環させることで、この湯水と通水路１１を介して給水される水との間で熱交換を行うことで、通水路１１内の水を予熱した後、加熱経路にて加熱する。そのため、浴槽１００内に使用後の湯水が存在している場合には、この使用後の湯水の熱を通水路１１内の水に伝熱し、当該通水路１１側の水温を予熱して上昇させることができる。
【００８５】
こうして、従来、無駄に捨てられていた浴槽内の使用後の湯水の熱を有効に利用でき、通水路を流れる水を加熱するためのエネルギー消費を抑えることができる。
また、上記実施形態では、実際に通水路１１への給水が行われ、液−液熱交換器４１を介して循環路３１側からの吸熱が可能となっているタイミングで浴槽１００の湯水を循環路３１に循環させているため（図５のｓ５１０〜ｓ５４０）、循環ポンプ３３を作動させるのに必要なエネルギーを最小限に抑えるのに好適である。
【００８６】
また、上記実施形態では、循環路３１を流通する湯水が、通水路１１を流通する水より高温となっている関係のときにのみ、循環路３１を流れる水と通水路１１を流れる水との熱交換が行われるため（図５のｓ５５０「ＹＥＳ」）、この逆の関係となっている場合に熱交換を行い、通水路１１を流通する水の温度を低下させてしまう、といったことを防止することができる。
【００８７】
また、上記実施形態では、保温モードにて浴槽１００に貯留された湯水の保温を行っているときに、通水路１１における給水を検出したとしても、循環路３１を流れる湯水と通水路１１を流れる水との熱交換を積極的に行わないようにしている。
【００８８】
具体的にいえば、浴槽１００に貯留された湯水の保温を行っているときは、循環路３１と浴槽１００との間における湯水の循環が断続的に行われており（図３のｓ３２０〜ｓ３９４）、循環路３１を流れる湯水と通水路１１を流れる水との熱交換も断続的に行われる。裏を返すと、浴槽１００に貯留された湯水の保温を行っているときは、断続的に循環路３１を流れる湯水と通水路１１を流れる水との熱交換を行わないようになっているといえるため、通水路１１側の水温を上昇させる意味では、熱交換を行っていない期間についても、循環ポンプ３３を作動させて循環路３１と浴槽１００との間で湯水を循環させ、積極的な熱交換を促すことが考えられる。
【００８９】
ただ、このような積極的な熱交換は、浴槽１００に貯留された湯水の温度を低下させるように作用するため、”保温”という本質的な機能に反することとなってしまう。そこで、上記実施形態では、浴槽１００に貯留された湯水の保温を行っているときに、通水路１１における給水を検出したとしても（図５のｓ５１０）、循環路３１を流れる湯水と通水路１１を流れる水との熱交換を積極的に行わないようにし（同図ｓ５３０「ＮＯ」→ｓ６４０となり、ｓ５４０〜ｓ５９０を行っていない）、これにより保温を優先させることができる。
【００９０】
また、上記実施形態では、設定時刻までの残り時間に応じて、太陽光温熱器３００により加熱された温水を浴槽１００に落とし込むことができ（図４のｓ４１０〜ｓ４６０）、こうして落とし込んだ温水の熱を、通水路１１を流通する水に伝達させることができる。
【００９１】
また、太陽光温熱器３００により加熱された温水を浴槽１００に貯留することができるため、太陽光温熱器３００において通常必要とされる専用のリザーブタンクが不要となる。
【００９２】
また、上記実施形態では、一定の時間間隔または一定の開度で水量制御弁２５を開閉することにより、予約時刻（設定時刻）の到来までに、太陽光温熱器３００により加熱された温水の熱を浴槽１００に落とし込んで貯留しておくことができる。
【００９３】
より具体的には、太陽側水温に応じた短さの時間間隔で水量制御弁２５の開閉を繰り返す制御パターンで水量制御弁２５を制御する場合であれば、太陽光温熱器３００からの温水の温度が高いほど、短い時間間隔で温熱路３１０からの温水の浴槽への通水が行われる。
【００９４】
太陽光温熱器３００からの温水の温度が高ければ高いほど、太陽光温熱器３００側で温水を生成するのに要する時間が短いことになるため、この場合、太陽光温熱器３００からの通水を行ってから次に通水を行うまでの時間間隔を短くしたとしても、次に通水を行うまでに充分に温度の高い温水が生成されることになる。
【００９５】
そのため、太陽光温熱器３００からの温水の温度に応じた短さの時間間隔で太陽側通水弁３１２を開放することにより、太陽光温熱器３００から浴槽へと落とし込まれる温水の温度を高めつつ、より短時間で浴槽に多くの温水を貯留することができる。
【００９６】
また、太陽側水温に応じた開度で太陽側通水弁３１２を開放する制御パターンで水量制御弁２５を制御する場合であれば、単純に水量制御弁２５を全開にする場合と比べ、太陽光温熱器３００から通水される温水の水量が少なくなり、太陽光温熱器３００に水が停留して加熱される時間が長くなるため、浴槽１００へと落とし込まれる温水の温度をより上昇させることができる。
【００９７】
また、この制御パターンであれば、太陽光温熱器３００からの温水の温度が高いほど、水量制御弁２５の開度を大きくした状態で温熱路３１０から温水の浴槽１００への通水が行われる。
【００９８】
太陽光温熱器３００からの温水の温度が高ければ高いほど、太陽光温熱器３００側で温水を生成するのに要する時間が短いことになるため、この場合、水量制御弁２５の開度を大きくして短時間で通水が終了するようにしたとしても、次に通水を行うまでに充分に温度の高い温水が生成されることになる。
【００９９】
そのため、太陽光温熱器３００からの温水の温度に応じた開度で水量制御弁２５を開放することにより、より短時間で浴槽１００に温度の高い温水を貯留することができる。
また、上記実施形態では、太陽光温熱器３００からの通水を行うに際し、温熱路３１０から通水路１１へと至る経路の水流が、第１，第２手動給湯動作において通水路１１の加熱が開始される水量未満となるように、水量制御弁２５における最大開度が設定される（図４のｓ４５０，ｓ４６０）。
【０１００】
そのため、温熱路３１０から通水路１１へと通水する水の水量により、ガスバーナ１５による無用な通水路１１の加熱が実施されてしまうことを防止することができる。
（４）変形例
以上、本発明の実施の形態について説明したが、本発明は、上記実施形態に何ら限定されることはなく、本発明の技術的範囲に属する限り種々の形態をとり得ることはいうまでもない。
【０１０１】
例えば、上記実施形態においては、浴槽１００周辺の外気温度を、外気温検出センサ５７により直接的に検出するように構成されている。しかし、浴槽１００周辺の外気温度は、例えば、浴槽温度検出センサ４５、加熱温度検出センサ１９などの検出値に基づいて推定する、つまり間接的に検出するように構成してもよい。
【０１０２】
また、上記実施形態では、サブリモコン５５に外気温検出センサ５７が設けられているが、この外気温検出センサ５７は、サブリモコン５５以外の構成要素や、浴室内部に設けられていてもよい。
【０１０３】
また、上記実施形態では、事前に循環ポンプ３３を作動させ、浴槽１００に貯留された湯水を一時的に循環路３１に循環させることで（図５のｓ５４０）、循環路３１を流通する湯水の温度（循環側水温）を間接的に検出しており（同図ｓ５５０）、この循環側水温と給水側水温との関係（循環継続条件の充足如何）に応じて循環ポンプ３３の動作を開始（実際は継続）させている（同図ｓ５５０〜ｓ５８０）。
【０１０４】
しかし、浴槽１００と循環路３１との接続箇所付近にセンサを設けるなど、循環側水温を直接的に検出できる場合であれば、循環継続条件の充足をチェックした後で、循環ポンプ３３の動作を開始させることとしてもよい（ｓ５３０「ＹＥＳ」→ｓ５５０「ＹＥＳ」→ｓ５４０）。
【０１０５】
また、上記実施形態では、第２給湯モードに設定されている場合に第２手動供給動作が行われるように構成されている。しかし、この第２手動給湯動作は、第２給湯モードに設定されているか否かに拘わらず、予約運転動作において太陽光温熱器３００からの温水を浴槽１００へと落とし込むまでの動作（図４のｓ４３０〜ｓ４６０）により浴槽１００に温水が落とし込まれていること、を条件に行うように構成してもよい。
【０１０６】
このためには、まず、予約運転動作において、太陽光温熱器３００からの温水の落とし込みが終了したら（図４のｓ４３０〜ｓ４６０）、図６に示すように、落とし込み終了フラグに「１」をセットした後で（ｓ４７０）、上記ｓ４１０と同様に残り時間がしきい値以下となるまで待機し（ｓ４８０：ＮＯ）、しきい値以下となってから（ｓ４８０：ＹＥＳ）、ｓ４２０へと移行するようにする。なお、「落とし込み終了フラグ」とは、初期値「０」のフラグであり、風呂給湯動作の終了後にも「０」に戻されるものである。
【０１０７】
さらに、第２給湯モードに設定されている場合に行われる動作として、第２手動給湯動作の代わりに、以下に示す給湯判定動作を行うようにする。
この給湯判定動作において、コントローラ５１は、図７に示すように、まず、風呂給湯動作（図３）が行われているか否かをチェックし（ｓ７１０）、風呂給湯動作が行われていれば（ｓ７１０：ＹＥＳ）、上述した第１手動給湯動作（図２）へ移行する一方（ｓ７２０）、風呂給湯動作が行われていなければ（ｓ７１０：ＮＯ）、予約運転動作により太陽光温熱器３００からの温水が浴槽１００へと落とし込まれた（温水を込み済）か否かを、上述した落とし込み終了フラグの値に基づいて判定する（ｓ７３０）。
【０１０８】
ここで、温水を落とし込み済でなければ（ｓ７３０：ＮＯ）、上述した第１手動給湯動作（図２）へ移行する一方（ｓ７２０）、落とし込み済であれば（ｓ７３０：ＹＥＳ）、上述した第２手動給湯動作（図５）へ移行する（ｓ７４０）。
【０１０９】
なお、この給湯判定動作は、第１手動給湯動作および第２手動給湯動作それぞれと並行して行われるようにし、風呂給湯動作が行われているか否か、温水が落とし込み済となっているか否かなどの条件に応じて、適宜、第１手動給湯動作および第２手動給湯動作のいずれか一方から他方へと切り替えられるように構成してもよい。
（５）本発明との対応関係
以上説明した実施形態において、ガスバーナ１５は本発明における給水加熱手段であり、ガスバーナ３７は本発明における循環加熱手段であり、通水弁２８，３１２，水量制御弁２５は本発明における通水弁であり、液−液熱交換器４１は本発明における熱交換手段である。
【０１１０】
また、図３のｓ３１０〜ｓ３９４は本発明における保温制御手段であり、図４のｓ４１０，４４０〜ｓ４６０は本発明における通水制御手段であり、同図ｓ４００は本発明における予約設定手段であり、同図ｓ４１０〜ｓ４２０は本発明における予約運転手段であり、同図ｓ４４０は本発明における温熱側水温検出手段であり、図５のｓ５４０〜ｓ５９０は本発明における伝達制御手段であり、同図ｓ５１０，ｓ５７０は本発明における給水検出手段であり、同図ｓ５５０は本発明における給水側水温検出手段、循環側水温検出手段であり、同図ｓ５８０，ｓ６５０は本発明における水量検出手段であり、同図ｓ６４０〜６６０は本発明における加熱制御手段である。
【符号の説明】
【０１１１】
１…給湯部、３…保温部、５…制御部、１１…通水路、１３…給湯側熱交換器、１５…ガスバーナ、１７…入水温検出センサ、１９…加熱温度検出センサ、２１…ストレーナ、２３…水量センサ、２５…水量制御弁、２７…風呂行き流路、２８…風呂側通水弁、２９…込み水量センサ、３０…太陽光温水器、３１…循環路、３３…循環ポンプ、３５…保温側熱交換器、３７…ガスバーナ、４１…液−液熱交換器、４５…浴槽温度検出センサ、４７…加熱温度検出センサ、５１…コントローラ、５３…メインリモコン、５５…サブリモコン、５７…外気温検出センサ、１００…浴槽、２００…給湯栓、３００…太陽光温熱器、３１０…温熱路、３１２…太陽側通水弁、３１４…太陽温度検出センサ。
【図１】
2011149592.tif 000003
【図２】
2011149592.tif 000004
【図３】
2011149592.tif 000005
【図４】
2011149592.tif 000006
【図５】
2011149592.tif 000007
【図６】
2011149592.tif 000008
【図７】
2011149592.tif 000009